(57)【要約】  本発明は、想定起因事象を超えた事象が発生した場合や残留熱除去系によるサプレッションプール水の冷却が機能しない場合であっても、サプレッションプール水の冷却が可能で、原子炉の安全性が向上する原子炉サプレッションプールの冷却システムを提供する。  本発明の原子炉サプレッションプールの冷却システムは、サプレッションプール水冷却ラインの途中に設置され、サプレッションプール水の温度が所定の温度に達したら動作し、サプレッションプール水浄化系吸込みラインからのサプレッションプール水と熱交換して冷却すると共に、この冷却した前記サプレッションプール水を、サプレッションプール水浄化系吐出ラインを介してサプレッションプールに戻すサプレッションプール水冷却用熱交換器を備えていることを特徴とする。
2015068563.tif 000002
【特許請求の範囲】
【請求項１】
原子炉が収納されている原子炉格納容器内に配置されているサプレッションプールに蓄えられているサプレッションプール水を冷却するために、
前記サプレッションプールから前記サプレッションプール水を吸込み流すサプレッションプール水浄化系吸込みラインと、該サプレッションプール水浄化系吸込みラインの途中に設置されているサプレッションプール水浄化系ポンプと、前記サプレッションプール水浄化系吸込みラインに一端が接続されている燃料プール冷却浄化系ラインと、該燃料プール冷却浄化系ラインの途中に設置され、該燃料プール冷却浄化系ラインを流れている前記サプレッションプール水を浄化するろ過脱塩装置と、前記燃料プール冷却浄化系ラインの他端に接続され、前記ろ過脱塩装置で浄化された前記サプレッションプール水を前記サプレッションプールに戻すサプレッションプール水浄化系吐出ラインと、前記サプレッションプール水浄化系吸込みラインと前記ろ過脱塩装置への入口側の燃料プール冷却浄化系ラインとをつなぐライン上に一端が接続され、前記ろ過脱塩装置への出口側の燃料プール冷却浄化系ラインと前記サプレッションプール水浄化系吐出ラインとのライン上に他端が接続されているサプレッションプール水冷却ラインと、該サプレッションプール水冷却ラインの途中に設置され、前記サプレッションプール水の温度が所定の温度に達したら動作し、前記サプレッションプール水浄化系吸込みラインからの前記サプレッションプール水と熱交換して冷却すると共に、この冷却した前記サプレッションプール水を、前記サプレッションプール水浄化系吐出ラインを介して前記サプレッションプールに戻すサプレッションプール水冷却用熱交換器とを備えていることを特徴とする原子炉サプレッションプールの冷却システム。
【請求項２】
請求項１に記載の原子炉サプレッションプールの冷却システムおいて、
前記サプレッションプール水の温度を計測する温度計測装置を備え、該温度計測装置で、前記サプレッションプールの最高使用温度付近に達した前記サプレッションプール水の温度を計測したら前記サプレッションプール水冷却用熱交換器が動作することを特徴とする原子炉サプレッションプールの冷却システム。
【請求項３】
請求項２に記載の原子炉サプレッションプールの冷却システムおいて、
前記サプレッションプール水浄化系吸込みラインと前記サプレッションプール水浄化系吐出ラインにはサプレッションプール隔離弁を、前記サプレッションプール水浄化系ポンプの入口側及び出口側にはサプレッションプール水浄化系ポンプ入口弁及び出口弁を、前記サプレッションプール水冷却用熱交換器の出口側の前記サプレッションプール水冷却ラインにはサプレッションプール水冷却用熱交換器出口弁を、前記ろ過脱塩装置の入口側と出口側の前記燃料プール冷却浄化系ラインには燃料プール冷却浄化系ライン入口弁及び出口弁をそれぞれ備え、前記温度計測装置で、前記サプレッションプールの最高使用温度付近に達した前記サプレッションプール水の温度を計測したら前記サプレッションプール隔離弁と前記サプレッションプール水浄化系ポンプ入口弁及び出口弁、更には前記サプレッションプール水冷却用熱交換器出口弁を開にし、かつ、前記燃料プール冷却浄化系ライン入口弁及び出口弁を閉じる制御装置を備えていることを特徴とする原子炉サプレッションプールの冷却システム。
【請求項４】
請求項１乃至３のいずれか１項に記載の原子炉サプレッションプールの冷却システムにおいて、
前記サプレッションプール水浄化系吸込みラインと前記サプレッションプール水浄化系吐出ラインは、前記サプレッションプール水浄化系ポンプの性能確認試験を行う際に使用されるサプレッションプール水浄化系サーベイランスラインで接続され、該サプレッションプール水浄化系の途中には、前記サプレッションプール水冷却用熱交換器が動作する際に閉じられるサプレッションプール水浄化系サーベイランスライン弁を備えていることを特徴とする原子炉サプレッションプールの冷却システム。
【請求項５】
請求項１乃至４のいずれか１項に記載の原子炉サプレッションプールの冷却システムにおいて、
前記サプレッションプール水冷却用熱交換器には、前記サプレッションプール水と熱交換して冷却する冷却材を供給する原子炉補機冷却系ラインが接続され、該原子炉補機冷却系ラインは、原子炉補機冷却系ポンプと原子炉補機冷却系熱交換器及び原子炉補機冷却系サージタンクからなり、前記原子炉補機冷却系熱交換器には、海水を原子炉補機冷却海水系ポンプで汲み上げて前記原子炉補機冷却系熱交換器で前記冷却材と熱交換して海水へ排熱する原子炉補機冷却海水系ラインが設置されていることを特徴とする原子炉サプレッションプールの冷却システム。
【請求項６】
請求項５に記載の原子炉サプレッションプールの冷却システムにおいて、
前記原子炉補機冷却系ラインに原子炉建屋外の代替原子炉補機冷却ユニットが接続されると共に、該代替原子炉補機冷却ユニットに仮設海水ポンプ設備が接続され、前記代替原子炉補機冷却ユニットは、代替原子炉補機冷却ポンプと代替原子炉補機冷却熱交換器及びこれらのそれぞれを接続する配管と弁から成るラインで構成され、一方、前記仮設海水ポンプ設備は、仮設海水ポンプと仮設ストレーナー及びこれらのそれぞれを接続する配管と弁から成るラインで構成され、
前記原子炉補機冷却系ラインからの前記冷却材を前記代替原子炉補機冷却ポンプで前記代替原子炉補機冷却熱交換器に導き、該代替原子炉補機冷却熱交換器に導かれた前記冷却材と、仮設海水ポンプで汲み上げられて前記仮設ストレーナーを介して前記代替原子炉補機冷却熱交換器に導かれた海水とが熱交換することで前記海水へ排熱することを特徴とする原子炉サプレッションプールの冷却システム。
【請求項７】
請求項１乃至４のいずれか１項に記載の原子炉サプレッションプールの冷却システムにおいて、
前記サプレッションプール水冷却用熱交換器には、該サプレッションプール水冷却用熱交換器で前記サプレッションプール水と循環水と熱交換するために屋外に設置されたクーリングタワーと、該クーリングタワー及び前記サプレッションプール水冷却用熱交換器の間で閉じられたループの前記循環水を循環するための循環ポンプとから成るクーリングタワーシステムが接続され、前記サプレッションプール水は、該サプレッションプール水の熱が前記循環水と前記クーリングタワーを介して大気へ放出されて冷却されることを特徴とする原子炉サプレッションプールの冷却システム。
【請求項８】
請求項７に記載の原子炉サプレッションプールの冷却システムにおいて、
前記クーリングタワーには、該クーリングタワーで補給水を気化し蒸発潜熱で前記循環水と熱交換するために気化する前記補給水を補給する補給水源と、該補給水源から前記補給水を前記クーリングタワーまで送る補給水ポンプとが接続されていることを特徴とする原子炉サプレッションプールの冷却システム。
【請求項９】
請求項１乃至４のいずれか１項に記載の原子炉サプレッションプールの冷却システムにおいて、
前記サプレッションプール水冷却用熱交換器には、該サプレッションプール水冷却用熱交換器で前記サプレッションプール水と循環水を介して大気と熱交換するために屋外に設置されたエアフィンクーラーと、該エアフィンクーラー及び前記サプレッションプール水冷却用熱交換器の間で閉じられたループの中の前記循環水を循環するための循環ポンプとから成るアフィンクーラー冷却システムが接続され、前記サプレッションプール水は、該サプレッションプール水の熱が前記循環水と前記エアフィンクーラーを介して大気へ放出されて冷却されることを特徴とする原子炉サプレッションプールの冷却システム。
【発明の詳細な説明】
【技術分野】
【０００１】
本発明は原子炉サプレッションプールの冷却システムに係り、特に、想定起因事象を超えた事象が発生した際に好適な原子炉サプレッションプールの冷却システムに関する。
【背景技術】
【０００２】
本技術分野の背景技術として、特許文献１に記載されたサプレッションプール水浄化系がある。この特許文献１には、原子力発電所を構成する原子炉建屋の原子炉格納容器に配置されているサプレッションプールに蓄えられているサプレッションプール水が、サプレッションプール水浄化系を経由して燃料プール冷却浄化系に設置されたろ過脱塩装置に導入され、このろ過脱塩装置でサプレッションプール水を浄化するシステムが記載されている。【０００３】
ところで、原子力発電所において、原子炉冷却材喪失事象などの大規模な想定起因事象が発生すると、サプレッションプールには、原子炉圧力容器から原子炉冷却材（蒸気）が流入し、サプレッションプールによって蒸気が凝縮されることで、原子炉圧力容器の圧力を下げることが行われている。また、サプレッションプールに蓄えられているサプレッションプール水は、原子炉へ注水するための水源であるため、各原子炉注水系統から注水されことで原子炉圧力容器は冷却される。そのため、サプレッションプールは、高温高圧の状態となるが、その際、サプレッションプール水は残留熱除去系で冷却され、上述した大規模な想定起因事象に対しても十分な安全対策が講じられている。
【先行技術文献】
【特許文献】
【０００４】
【特許文献１】特開平３−２５５３９４号公報
【発明の概要】
【発明が解決しようとする課題】
【０００５】
しかし、近年、想定起因事象を超えた事象が発生した場合や、講じられた対策が何らかの原因で機能しない場合においても、原子力の安全を確実にするべきであるという深層防護の強化方策が講じられている。【０００６】
そのため、原子炉の安全裕度をより一層向上させるためにサプレッションプール水の冷却システムを多様化させる必要があるが、上述した特許文献１には、このようなサプレッションプール水の冷却に関しては、全く考慮されていなかった。【０００７】
本発明は上述の点に鑑みなされたもので、その目的とするところは、想定起因事象を超えた事象が発生した場合や残留熱除去系によるサプレッションプール水の冷却が機能しない場合であっても、サプレッションプール水の冷却が可能で、原子炉の安全性が向上する原子炉サプレッションプールの冷却システムを提供することにある。
【課題を解決するための手段】
【０００８】
本発明の原子炉サプレッションプールの冷却システムは、上記目的を達成するために、原子炉が収納されている原子炉格納容器内に配置されているサプレッションプールに蓄えられているサプレッションプール水を冷却するために、前記サプレッションプールから前記サプレッションプール水を吸込み流すサプレッションプール水浄化系吸込みラインと、該サプレッションプール水浄化系吸込みラインの途中に設置されているサプレッションプール水浄化系ポンプと、前記サプレッションプール水浄化系吸込みラインに一端が接続されている燃料プール冷却浄化系ラインと、該燃料プール冷却浄化系ラインの途中に設置され、該燃料プール冷却浄化系ラインを流れている前記サプレッションプール水を浄化するろ過脱塩装置と、前記燃料プール冷却浄化系ラインの他端に接続され、前記ろ過脱塩装置で浄化された前記サプレッションプール水を前記サプレッションプールに戻すサプレッションプール水浄化系吐出ラインと、前記サプレッションプール水浄化系吸込みラインと前記ろ過脱塩装置への入口側の燃料プール冷却浄化系ラインとをつなぐライン上に一端が接続され、前記ろ過脱塩装置への出口側の燃料プール冷却浄化系ラインと前記サプレッションプール水浄化系吐出ラインとのライン上に他端が接続されているサプレッションプール水冷却ラインと、該サプレッションプール水冷却ラインの途中に設置され、前記サプレッションプール水の温度が所定の温度に達したら動作し、前記サプレッションプール水浄化系吸込みラインからの前記サプレッションプール水と熱交換して冷却すると共に、この冷却した前記サプレッションプール水を、前記サプレッションプール水浄化系吐出ラインを介して前記サプレッションプールに戻すサプレッションプール水冷却用熱交換器とを備えていることを特徴とする。
【発明の効果】
【０００９】
本発明によれば、想定起因事象を超えた事象が発生した場合や残留熱除去系によるサプレッションプール水の冷却が機能しない場合であっても、サプレッションプール水の冷却が可能で、原子炉の安全性が向上し深層防護が強化される効果がある。
【図面の簡単な説明】
【００１０】
【図１】本発明の原子炉サプレッションプールの冷却システムの実施例１を示す概略構成図である。
【図２】本発明の原子炉サプレッションプールの冷却システムの実施例２を示す概略構成図である。
【図３】本発明の原子炉サプレッションプールの冷却システムの実施例３を示す概略構成図である。
【図４】本発明の原子炉サプレッションプールの冷却システムの実施例４を示す概略構成図である。
【図５】本発明の原子炉サプレッションプールの冷却システムの実施例５を示す概略構成図である。
【発明を実施するための形態】
【００１１】
以下、図示した実施例に基づいて本発明の原子炉サプレッションプールの冷却システムを説明する。なお、各実施例において、同一構成部品には同符号を使用する。
【実施例１】
【００１２】
図１に、本発明の原子炉サプレッションプールの冷却システムの実施例１を示す。【００１３】
該図において、１は原子炉格納容器であり、この原子炉格納容器１の内部に原子炉２が収納され、原子炉格納容器１の下部に、原子炉格納容器１内の圧力上昇を抑制するサプレッションプール水４が蓄えられているサプレッションプール３が設置されている。【００１４】
そして、本実施例の原子炉サプレッションプールの冷却システムは、サプレッションプール３に蓄えられているサプレッションプール水４を浄化するために、サプレッションプール３からサプレッションプール水４を吸込み流すサプレッションプール水浄化系吸込みライン６と、このサプレッションプール水浄化系吸込みライン６の途中に設置されているサプレッションプール水浄化系ポンプ７と、サプレッションプール水浄化系吸込みライン６に一端が接続されている燃料プール冷却浄化系ライン１７と、この燃料プール冷却浄化系ライン１７の途中に設置され、燃料プール冷却浄化系ライン１７を流れているサプレッションプール水４を浄化するろ過脱塩装置１５と、燃料プール冷却浄化系ライン１７の他端に接続され、ろ過脱塩装置１５で浄化されたサプレッションプール水４をサプレッションプール３に戻すサプレッションプール水浄化系吐出ライン２０とを備えている。【００１５】
また、サプレッションプール水浄化系吸込みライン６及びサプレッションプール水浄化系吐出ライン２０にはサプレッションプール隔離弁８が、サプレッションプール水浄化系ポンプ７の入口側及び出口側にはサプレッションプール水浄化系ポンプ入口弁９及び出口弁１０が、ろ過脱塩装置１５の入口側と出口側の燃料プール冷却浄化系ライン１７には燃料プール冷却浄化系ライン入口弁１４及び出口弁１９がそれぞれ設置され、燃料プール（図示せず）へのラインには、このラインの開閉を行う燃料プールライン入口弁１３が設置されている。【００１６】
また、サプレッションプール水浄化系吸込みライン６とサプレッションプール水浄化系吐出ライン２０は、サプレッションプール水浄化系ポンプ７の性能確認試験を行う際に使用されるサプレッションプール水浄化系サーベイランスライン１６で接続されており、このサプレッションプール水浄化系サーベイランスライン１６の途中には、サプレッションプール水浄化系サーベイランスライン弁１２を備えている。【００１７】
そして、本実施例では、サプレッションプール水浄化系吸込みライン６とろ過脱塩装置１５への入口側の燃料プール冷却浄化系ライン１７とをつなぐライン上に一端が接続され、ろ過脱塩装置１５への出口側の燃料プール冷却浄化系ライン１７とサプレッションプール水浄化系吐出ライン２０とのライン上に他端が接続されているサプレッションプール水冷却ライン１８を設け、このサプレッションプール水冷却ライン１８の途中に設置され、サプレッションプール水４の温度が所定の温度に達したら動作し、サプレッションプール水浄化系吸込みライン６からのサプレッションプール水４と熱交換して冷却すると共に、この冷却したサプレッションプール水４を、サプレッションプール水浄化系吐出ライン２０を介してサプレッションプール３に戻すサプレッションプール水冷却用熱交換器５を備えている。【００１８】
このサプレッションプール水冷却用熱交換器５の出口側のサプレッションプール水冷却ライン１８には、サプレッションプール水冷却用熱交換器出口弁１１が設置されている。【００１９】
なお、サプレッションプール水冷却用熱交換器５は、原子炉建屋（図示せず）外からアクセスしやすい位置に配置することが好ましい。【００２０】
また、本実施例では、サプレッションプール３にサプレッションプール水４の温度を計測する温度計測装置２５が設置され、この温度計測装置２５で、サプレッションプール水４の温度が、サプレッションプール３の最高使用温度付近（例えば、１０４℃）に達したことを計測したら信号が送られる制御装置２６を備えており、この信号を受けた制御装置２６により、サプレッションプール隔離弁８とサプレッションプール水浄化系ポンプ入口弁９及び出口弁１０、更にはサプレッションプール水冷却用熱交換器出口弁１１を開にする信号、燃料プール冷却浄化系ライン入口弁１４及び出口弁１９とサプレッションプール水浄化系サーベイランスライン弁１２及び燃料プールライン入口弁１３を閉じる信号、サプレッションプール水浄化系ポンプ７を起動する信号が送られ、上記した各弁の開閉及びサプレッションプール水浄化系ポンプ７を起動することにより、サプレッションプール３内のサプレッションプール水４が、サプレッションプール水冷却用熱交換器５に送られる。【００２１】
サプレッションプール水冷却用熱交換器５に送られたサプレッションプール水４は、サプレッションプール水冷却用熱交換器５で冷却材と熱交換して冷却され、この冷却したサプレッションプール水４を、サプレッションプール水浄化系吐出ライン２０を介してサプレッションプール３に戻される。【００２２】
なお、上述した各弁の開閉操作、ポンプ等の起動は、運転員の判断により手動でも行える制御機構としても良い。【００２３】
このような本実施例とすることにより、想定起因事象を超えた事象が発生した場合や残留熱除去系によるサプレッションプール水４の冷却が機能しない場合であっても、サプレッションプール水冷却ライン１８に設置されたサプレッションプール水冷却用熱交換器５でサプレッションプール水４の冷却が可能であり、原子炉の安全性が向上し深層防護が強化される。
【実施例２】
【００２４】
図２に、本発明の原子炉サプレッションプールの冷却システムの実施例２を示す。【００２５】
図２に示す本実施例は、実施例１でサプレッションプール水冷却用熱交換器５を用いて熱交換したサプレッションプール水２の熱を海水へ排熱するシステム構成の例である。【００２６】
なお、実施例１で示した燃料プール冷却浄化系ライン１７、ろ過脱塩装置１５、温度計測装置２５及び制御装置２６は、実施例２（図２）以降の実施例では省略する。【００２７】
該図に示す本実施例では、サプレッションプール水冷却用熱交換器５に、サプレッションプール水４と熱交換して冷却する冷却材（水）を供給する原子炉補機冷却系ライン２７が接続されている。この原子炉補機冷却系ライン２７は、原子炉補機冷却系ポンプ２１と原子炉補機冷却系熱交換器２２及び原子炉補機冷却系サージタンク２３から成り、原子炉補機冷却系熱交換器２２には、海水２９を原子炉補機冷却海水系ポンプ３０で汲み上げて、原子炉補機冷却系熱交換器２２で冷却材と熱交換して海水２９へ排熱する原子炉補機冷却海水系ライン２４が設置されている。【００２８】
即ち、実施例１のように、サプレッションプール水４の冷却を開始した際、サプレッションプール水冷却用熱交換器５は、高温のサプレッションプール水４と冷却材とを熱交換する必要があるため、本実施例では、原子炉補機冷却系ポンプ２１、原子炉補機冷却系熱交換器２２と原子炉補機冷却系サージタンク２３からなる原子炉補機冷却系ライン２７にサプレッションプール水冷却用熱交換器５を接続して冷却材（水）を流し、更には、原子炉補機冷却系ライン２７を、海水２９を二次冷却材とする原子炉補機冷却海水系ライン２４へつなぎ、原子炉補機冷却系熱交換器２２で、冷却材（水）と海水２９の熱交換が行われるようにしたものである。【００２９】
このような本実施例とすることにより、サプレッションプール水４の熱は、海水２９へ放出されるので、実施例１と同様な効果が得られことは勿論、安定的な冷却が可能となる。
【実施例３】
【００３０】
図３に、本発明の原子炉サプレッションプールの冷却システムの実施例３を示す。【００３１】
図３に示す本実施例は、実施例２で用いた原子炉補機冷却系ライン２７と原子炉補機冷却海水系ライン２４が何らかの理由で使用不可となった場合に備え、安定的にサプレッションプール３の冷却を行うシステム構成の例である。【００３２】
該図に示す本実施例は、実施例２の構成に加え、原子炉補機冷却系ライン２７に原子炉建屋５０外の代替原子炉補機冷却ユニット３６が原子炉建屋外フランジ３５を介して接続されると共に、この代替原子炉補機冷却ユニット３６に仮設海水ポンプ設備３７が接続されているものである。【００３３】
上記の代替原子炉補機冷却ユニット３６は、代替原子炉補機冷却ポンプ３１と代替原子炉補機冷却熱交換器３２及びこれらのそれぞれを接続する配管３６Ａと弁３６Ｂ、３６Ｃ、３６Ｄから成るラインで構成され、一方、仮設海水ポンプ設備３７は、仮設海水ポンプ３３と仮設ストレーナー３４及びこれらのそれぞれを接続する配管３７Ａと弁３７Ｂ、３７Ｃから成るラインで構成されている。【００３４】
そして、原子炉補機冷却系ライン２７からの冷却材を代替原子炉補機冷却ポンプ３１で代替原子炉補機冷却熱交換器３２に導き、この代替原子炉補機冷却熱交換器３２に導かれた冷却材と、仮設海水ポンプ３３で汲み上げられて仮設ストレーナー３４を介して代替原子炉補機冷却熱交換器３２に導かれた海水２９とが熱交換することで、海水２９へ排熱するものである。【００３５】
即ち、サプレッションプール水冷却用熱交換器５を実施例２の原子炉補機冷却系ライン２７と接続し、この原子炉補機冷却系ライン２７を原子炉建屋５０外で代替原子炉補機冷却ユニット３６に接続し、代替原子炉補機冷却ユニット３６を仮設海水ポンプ設備３７に接続することで、サプレッションプール３のサプレッションプール水４の熱は、海水２９へと放出される。【００３６】
このような本実施例とすることにより、実施例２と同様な効果が得られことは勿論、安定的な冷却が可能となる。
【実施例４】
【００３７】
図４に、本発明の原子炉サプレッションプールの冷却システムの実施例４を示す。【００３８】
図４に示す本実施例は、実施例１でサプレッションプール水冷却用熱交換器５を用いて熱交換したサプレッションプール水４の熱を、クーリングタワー冷却システムを用いて大気へ排熱するシステム構成の例である。【００３９】
即ち、該図に示す本実施例では、サプレッションプール水冷却用熱交換器５に、このサプレッションプール水冷却用熱交換器５でサプレッションプール水４とクーリングタワー冷却システムの循環水と熱交換するために原子炉建屋５０の屋外に設置されたクーリングタワー４１と、クーリングタワー４１及びサプレッションプール水冷却用熱交換器５の間で閉じられたループのクーリングタワー冷却システムの循環水を循環するための循環ポンプ４２とから成るクーリングタワー冷却システムが接続され、更に、クーリングタワー４１には、このクーリングタワー４１で補給水を気化し蒸発潜熱でクーリングタワー冷却システムの循環水と熱交換するために気化する補給水を補給する補給水源４３と、補給水源４３から補給水をクーリングタワー４１まで送る補給水ポンプ４４とが接続されている。【００４０】
そして、サプレッションプール３のサプレッションプール水４は、サプレッションプール水４の熱がクーリングタワー冷却システムの循環水とクーリングタワー４１を介して大気へ放出されて冷却されるものである。【００４１】
つまり、サプレッションプール水冷却用熱交換器５に、クーリングタワー冷却システムの循環水を流すことで、サプレッションプール水４と熱交換を行い、それにより、サプレッションプール水４の熱は、クーリングタワー冷却システムの循環水とクーリングタワー４１を通じて大気へ放出される。【００４２】
このような本実施例とすることにより、実施例１と同様な効果が得られことは勿論、安定的な冷却が可能となる。
【実施例５】
【００４３】
図５に、本発明の原子炉サプレッションプールの冷却システムの実施例５を示す。【００４４】
図５に示す本実施例は、実施例１でサプレッションプール水冷却用熱交換器５を用いて熱交換したサプレッションプール水４の熱を、エアフィンクーラー冷却システムを用いて大気へ排熱するシステム構成の例である。【００４５】
即ち、該図に示す本実施例では、サプレッションプール水冷却用熱交換器５に、このサプレッションプール水冷却用熱交換器５でサプレッションプール水４とエアフィンクーラー冷却システムの循環水を介して大気と熱交換するために原子炉建屋５０の屋外に設置されたエアフィンクーラー５１と、エアフィンクーラー５１及びサプレッションプール水冷却用熱交換器５の間で閉じられたループのエアフィンクーラー冷却システムの循環水を循環するための循環ポンプ５２とから成るアフィンクーラー冷却システムが接続されている。【００４６】
そして、サプレッションプール３のサプレッションプール水４は、サプレッションプール水４の熱がエアフィンクーラー冷却システムの循環水とエアフィンクーラー５１を介して大気へ放出されて冷却される。【００４７】
つまり、サプレッションプール冷却用熱交換器５に、エアフィンクーラー冷却システムの循環水を流すことで、サプレッションプール水４と熱交換を行い、それにより、サプレッションプール水４の熱は、エアフィンクーラー冷却システムの循環水とエアフィンクーラー５１を通じて大気へ放出される。【００４８】
このような本実施例とすることにより、実施例１と同様な効果が得られことは勿論、安定的な冷却が可能となる。【００４９】
なお、本発明は上記した実施例に限定されるものではなく、様々な変形例が含まれる。
例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５０】
１…原子炉格納容器、２…原子炉、３…サプレッションプール、４…サプレッションプール水、５…サプレッションプール水冷却用熱交換器、６…サプレッションプール水浄化系吸込みライン、７…サプレッションプール水浄化系ポンプ、８…サプレッションプール隔離弁、９…サプレッションプール水浄化系ポンプ入口弁、１０…サプレッションプール水浄化系ポンプ出口弁、１１…サプレッションプール水冷却用熱交換器出口弁、１２…サプレッションプール水浄化系サーベイランスライン弁、１３…燃料プールライン入口弁、１４…燃料プール冷却浄化系ライン入口弁、１５…ろ過脱塩装置、１６…サプレッションプール水浄化系サーベイランスライン、１７…燃料プール冷却浄化系ライン、１８…サプレッションプール水冷却ライン、１９…燃料プール冷却浄化系ライン出口弁、２０…サプレッションプール水浄化系吐出ライン、２１…原子炉補機冷却系ポンプ、２２…原子炉補機冷却系熱交換器、２３…原子炉補機冷却系サージタンク、２４…原子炉補機冷却海水系ライン、２５…温度計測装置、２６…制御装置、２７…原子炉補機冷却系ライン、２９…海水、３０…原子炉補機冷却海水系ポンプ、３１…代替原子炉補機冷却ポンプ、３２…代替原子炉補機冷却熱交換器、３３…仮設海水ポンプ、３４…仮設ストレーナー、３５…原子炉建屋外フランジ、３６…代替原子炉補機冷却ユニット、３６Ａ、３７Ａ…配管、３６Ｂ、３６Ｃ、３６Ｄ、３７Ｂ、３７Ｃ…弁、３７…仮設海水ポンプ設備、４１…クーリングタワー、４２…クーリングタワー冷却システムの循環ポンプ、４３…補給水源、４４…補給水ポンプ、５０…原子炉建屋、５１…エアフィンクーラー、５２…エアフィンクーラー冷却システムの循環ポンプ。
【図１】
2015068563.tif 000003
【図２】
2015068563.tif 000004
【図３】
2015068563.tif 000005
【図４】
2015068563.tif 000006
【図５】
2015068563.tif 000007
【国際調査報告】
2015068563.tif 000008
2015068563.tif 000009
2015068563.tif 000010
2015068563.tif 000011